(57)【要約】【課題】  前扉と上皿部材の隙間を介した不正行為を防止しつつ、上皿部材の開放状態で前扉を閉止し得るパチンコ機を提供する。【解決手段】  上皿パネル２０に凹溝部３１が形成された可動部材３０を取り付け、該可動部材３０を、その凹溝部３１が前扉６の遮蔽板部４２を内部に差込ませ得る高さとなる定常位置αと、凹溝部３１が遮蔽板部４２と当接不能な高さとなる退避位置βとに変位可能とする。かかる構成によれば、前扉６と上皿部材７の閉止時に可動部材３０を定常位置αとすることによって遮蔽板部４２と凹溝部３１が係合し、前扉６と上皿部材７の隙間から不正器具を侵入困難となる。一方で、前扉６と上皿部材７を開放した状態で可動部材３０を退避位置βとすれば、遮蔽板部４２と凹溝部３１とを衝突させることなく前扉６を上皿部材７の後方に回動でき、上皿部材７を開放したまま前扉６を閉止できる。【選択図】  図７
2007037811.tif 000002
【特許請求の範囲】
【請求項１】
略中央の開口部に遊技盤が装着された前枠体と、
前枠体に片開き可能に取り付けられて遊技盤前面を覆う前扉と、
遊技球を貯留可能な貯留皿を矩形の上皿パネルの前面に配設してなるものであって、前枠体の、前扉の直下位置に片開き可能に取り付けられる上皿部材とを備えてなり、
前扉の下縁に、略全幅に亘って後方へ遮蔽板部が突成されると共に、上皿部材の上縁に、略全幅に亘って前方に開口する凹溝部が形成され、前扉と上皿部材の閉止状態において、遮蔽板部が凹溝部に差し込まれることとなるパチンコ機において、
上皿パネルには、凹溝部が形成された可動部材が取り付けられており、
該可動部材は、凹溝部を、遮蔽板部を差込み可能な高さとする定常位置と、凹溝部を遮蔽板部と当接しない高さとする退避位置とに変位可能となっていることを特徴とするパチンコ機。
【請求項２】
可動部材は、回動可能となるように上皿パネルの上部に幅方向に軸支され、凹溝部を回動軸から起立させて、遮蔽板部を差込み可能な高さとする定常位置と、該凹溝部を回動軸の後方に傾倒させて、遮蔽板部と当接しない高さとする退避位置とに変位可能なものであることを特徴とする請求項１記載のパチンコ機。
【請求項３】
前枠体に、上皿部材の閉止状態で可動部材に後方から当接し、可動部材を定常位置に支持する支持部材が配設されていることを特徴とする請求項２記載のパチンコ機。
【請求項４】
可動部材は、上皿パネルに対して昇降可能に取り付けられて、上方に変位した位置を定常位置とし、下方に変位した位置を退避位置とするものであり、
さらに、上皿部材には、可動部材を定常位置に付勢する付勢手段が設けられていることを特徴とする請求項１記載のパチンコ機。
【請求項５】
可動部材を付勢手段に抗して退避位置に保持可能とする係止手段を備えることを特徴とする請求項４記載のパチンコ機。
【請求項６】
略中央の開口部に遊技盤が装着された前枠体と、
前枠体に片開き可能に取り付けられて遊技盤前面を覆う前扉と、
遊技球を貯留可能な貯留皿を矩形の上皿パネルの前面に配設してなるものであって、前枠体の、前扉の直下位置に片開き可能に取り付けられる上皿部材とを備えてなり、
前扉の下縁に、略全幅に亘って後方へ遮蔽板部が突成されると共に、上皿部材の上縁に、略全幅に亘って前方に開口する凹溝部が形成され、前扉と上皿部材の閉止状態において、遮蔽板部が凹溝部に差し込まれることとなるパチンコ機において、
上皿パネルには、凹溝部が形成された取付部材が係止されており、
該取付部材は、上皿部材の開放状態において、上皿パネルに対して係脱可能となることを特徴とするパチンコ機。
【請求項７】
上皿部材の閉止状態で、取付部材の係止状態の異常を検知する取付検知手段と、
該取付検知手段が係止状態の異常を検知した場合に、当該異常の発生を報知する異常報知手段とを備えることを特徴とする請求項６記載のパチンコ機。
【発明の詳細な説明】
【技術分野】
【０００１】
本発明は、前枠体の前面に、遊技盤前面を覆う前扉と、貯留皿を具備する上皿部材とが、片開き可能に取り付けられたパチンコ機に関する。
【背景技術】
【０００２】
一般的なパチンコ機は、略中央部分に長方形状の開口部が形成された前枠体を、ヒンジ部材を介して木製の外枠に開閉可能に取り付けてなる。この前枠体の開口部には、表面に遊技釘等が設けられた遊技盤が脱着可能に設置され、また、開口部の下方部位には、前面側に発射レール等を装着する部材取付部が形成される。
【０００３】
また、前枠体前面の側縁には、遊技盤を前方から保護する前扉が片開き可能に取り付けられる。そして、前扉の直下位置には、遊技球を貯留可能な貯留皿を上皿パネルの前面側に固定してなる上皿部材が、部材取付部の前方を覆うように片開き可能に取り付けられている。
【０００４】
ここで、一般的なパチンコ機では、前扉の下縁に、略全幅に亘って後方へ遮蔽板部が突成されると共に、上皿部材の上縁に、略全幅に亘って前方に開口する凹溝部が形成される。そして、前扉と上皿部材の閉止時に、遮蔽板部を凹溝部に差し込ませて相互に係合させることによって、針金やセル板などの不正器具を前扉と上皿部材との隙間から機体内に侵入して遊技盤の可変入賞口を強制的に開放させるといったの不正行為を防止するようにしている（特許文献１参照）。
【０００５】
【特許文献１】特開２００３−４７７４４号公報
【発明の開示】
【発明が解決しようとする課題】
【０００６】
ところで、従来のパチンコ機では、前扉と上皿部材の閉止時に遮蔽板部を凹溝部に差し込み可能とするために、遮蔽板部と凹溝部が略同じ高さ位置に設けられると共に、遮蔽板部が凹溝部よりも前方に配置されている。こうした構造のため、前扉を開放して遮蔽板部を凹溝部の前方に退避させてからでなければ、上皿部材を開放できないようになっている。また、前扉と上皿部材の開放状態においても、遮蔽板部と凹溝部が衝突するため、前扉を上皿部材より後方には回動できないようになっている。それゆえに、従来のパチンコ機では、発射レールの角度調整や発射装置の修理作業等の際に、上皿部材を開放し、部材取付部を露出させて作業する必要があるが、この際に前扉も開放して遊技盤前面を露出させなければならない。
【０００７】
このため、かかる作業中に作業者が誤って遊技盤に接触して、遊技盤面上の遊技部品（入賞装置や演出用可動装置）や遊技釘の取付位置や角度が変化してしまう懸念がある。
【０００８】
また、上記作業中に作業者が作業場所を離れた場合に、作業者以外の者が、例えば遊技釘間を広げるなど、遊技盤上の遊技部品に対して不正に手が加えられる恐れもある。
【０００９】
また、発射レールの角度調整などの作業では、レールの角度を変更するたびに遊技球の試射を行う必要があるが、試射の際には前扉を閉止して発射した遊技球が遊技盤前面から零れ落ちるのを防止しなければならないため、レールの角度を変更する度に前扉と上皿部材を開閉しなければならない。
【００１０】
さらに、上記作業中は、上皿部材の前方で自由に回動可能となっているため、前扉がさらに開放して隣接するパチンコ機に衝突したり、営業中のパチンコ店では隣席の遊技の邪魔となる恐れがある。
【００１１】
本発明は、かかる現状に鑑みてなされたものであり、前扉と上皿部材の隙間を介した不正行為を防止しつつ、上皿部材の開放状態で、前扉を閉止し得るパチンコ機の提供を目的とする。
【課題を解決するための手段】
【００１２】
本発明は、略中央の開口部に遊技盤が装着された前枠体と、前枠体に片開き可能に取り付けられて遊技盤前面を覆う前扉と、遊技球を貯留可能な貯留皿を矩形の上皿パネルの前面に配設してなるものであって、前枠体の、前扉の直下位置に片開き可能に取り付けられる上皿部材とを備えてなり、前扉の下縁に、略全幅に亘って後方へ遮蔽板部が突成されると共に、上皿部材の上縁に、略全幅に亘って前方に開口する凹溝部が形成され、前扉と上皿部材の閉止状態において、遮蔽板部が凹溝部に差し込まれることとなるパチンコ機において、上皿パネルには、凹溝部が形成された可動部材が取り付けられており、該可動部材は、凹溝部を、遮蔽板部を差込み可能な高さとする定常位置と、凹溝部を遮蔽板部と当接しない高さとする退避位置とに変位可能となっていることを特徴とするパチンコ機である（請求項１）。
【００１３】
かかる構成にあっては、上皿部材の閉止状態において可動部材を定常位置に位置させ、凹溝部に遮蔽板部を差し込んで係合させることによって、前扉と上皿部材との隙間を介する不正行為を防止することができる。一方で、上皿部材の開放状態では、可動部材を退避位置に変位させて遮蔽板部と凹溝部の衝突を回避させることによって、前扉を上皿部材の後方に回動させることが可能となる。従って、本発明によれば、前扉と上皿部材の隙間を介した不正行為を防止しつつ、上皿部材の開放状態で前扉のみを閉止することが可能となる。
【００１４】
具体的には、可動部材は、回動可能となるように上皿パネルの上部に幅方向に軸支され、凹溝部を回動軸から起立させて、遮蔽板部を差込み可能な高さとする定常位置と、該凹溝部を回動軸の後方に傾倒させて、遮蔽板部と当接しない高さとする退避位置とに変位可能なものである構成が提案される（請求項２）。かかる構成によれば、作業者は、可動部材を回動させるだけで、可動部材を定常位置と退避位置とに簡単に移動させることができる。
【００１５】
上記構成のように、可動部材を回動可能とした場合には、前扉と上皿部材の閉止状態で遮蔽板部と凹溝部を係合させても、前扉と上皿部材の隙間に不正器具を押し入れることによって凹溝部が傾倒し、係合が解除されてしまう恐れがある。このため、可動部材を回動可能とした構成では、可動部材を定常位置に保持するための支持手段を設けることが望ましい。具体的な構成としては、前枠体に、上皿部材の閉止状態で可動部材に後方から当接し、可動部材を定常位置に支持する支持部材が配設されている構成が提案される（請求項３）。かかる構成にあっては、上皿部材の開放状態では、可動部材を定常位置と退避位置とに自由に回動させることができるが、上皿部材の閉止時に、可動部材を定常位置としておけば、可動部材は支持部材によって後方から支持されることとなり、定常位置に保持されることとなる。
【００１６】
また、可動部材を変位可能とする別の構成として、可動部材は、上皿パネルに対して昇降可能に取り付けられて、上方に変位した位置を定常位置とし、下方に変位した位置を退避位置とするものであり、さらに、上皿部材には、可動部材を定常位置に付勢する付勢手段が設けられている構成が提案される（請求項４）。かかる構成によれば、可動部材は通常は付勢手段によって定常位置に付勢されており、作業者は、可動部材を下方に押し下げて、退避位置に変位させることによって、前扉を上皿部材の後方に回動させることができる。また、可動部材は、上皿部材や前扉の回動方向と直交する方向に移動するため、遮蔽板部を凹溝部に差し込んだ状態で遮蔽板部が凹溝部から外れ難くなる。ここで、本構成では、可動部材を付勢手段に抗して退避位置に保持可能とする係止手段を備えることが提案される（請求項５）。かかる構成とすれば、作業者は、退避位置に変位させた可動部材を係止手段によって退避位置に留めておくことによって、可動部材を何度も押し下げることなく、前扉と上皿部材とを前後にすれ違わせることが可能となる。
【００１７】
また、上皿パネルには、凹溝部が形成された取付部材が係止されており、該取付部材は、上皿部材の開放状態において、上皿パネルに対して係脱可能となる構成も提案される（請求項６）。かかる構成によれば、通常は、凹溝部が形成された取付部材を上皿パネルに係止しておくことによって不正器具の侵入を防止すると共に、上皿部材の開放状態にあっては、作業者は、必要に応じて取付部材を取り外すことによって、前扉と上皿パネルを相互に衝突させることなく自由に回動可能となる。ここで、取付部材を係脱可能とする機構は、一方に形成した溝孔と他方に形成した突部とを係合させる程度の簡単な機構とし、作業者が、道具を用いることなく、取付部材を簡単に係脱できるようにすることが望ましい。なお、かかる構成の場合には、上皿部材の閉止状態で、取付部材の係止状態の異常を検知する取付検知手段と、該取付検知手段が係止状態の異常を検知した場合に、当該異常の発生を報知する異常報知手段とを備えることが提案される（請求項７）。かかる構成によれば、取付部材を上皿パネルから外したままで上皿部材を閉止すると、取付検知手段が、取付部材の係止状態が異常であると検知して、異常の発生が異常報知手段によって作業者に報知されることとなる。
【発明の効果】
【００１８】
以上に述べたように、本発明は、上皿パネルに、凹溝部が形成された可動部材が取り付けられ、該可動部材が、凹溝部を、遮蔽板部を差込み可能な高さとする定常位置と、凹溝部を遮蔽板部と当接しない高さとする退避位置とに変位可能となっているパチンコ機であるから（請求項１）、上皿部材の開放状態において、前扉を上皿部材の後方に回動させることができ、上皿部材を開放して発射レールの角度調整や発射装置の修理などの作業を行う際に、前扉を閉止しておくことが可能となる。従って、本発明のパチンコ機では、かかる作業中に、遊技盤上の遊技部品を保護することができ、また、前扉が隣のパチンコ機に衝突したり、隣席の遊技の邪魔をする恐れもない。さらには、発射レールの角度調整等の作業においては、上皿部材を開放したまま試射を行うことができるといった利点がある。また、本発明は、上記利点を有すると共に、前扉と上皿部材の閉止状態においては、従来構成同様に、遮蔽板部と凹溝部とを係合させて、前扉と上皿部材の隙間を介した不正行為を防止できるといった利点も併せ持つ。
【００１９】
ここで、可動部材は、回動可能となるように上皿パネルの上部に幅方向に軸支され、凹溝部を回動軸から起立させる位置を定常位置とし、凹溝部を回動軸の後方に傾倒した位置を退避位置とするものである場合には（請求項２）、簡易な構造によって可動部材を移動可能に保持できると共に、作業者が可動部材を容易に変位させることができるといった利点がある。
【００２０】
さらに、上記構成にあって、前枠体に、上皿部材の閉止状態で可動部材に後方から当接し、可動部材を定常位置に支持する支持部材が配設されている場合には（請求項３）、上皿部材の閉止状態で、可動部材を定常位置に確実に保持することができ、前扉と上皿部材の隙間を介した不正行為を確実に防止することができる。
【００２１】
また、可動部材は、上皿パネルに対して昇降可能に取り付けられて、上方に変位した位置を定常位置とし、下方に変位した位置を退避位置とするものであり、さらに、上皿部材に、可動部材を定常位置に付勢する付勢手段が設けられている場合には（請求項４）、作業者は、前扉と上皿部材の前後を入れ替える時に、可動部材を退避位置に押し下げ操作するだけで済み、可動部材を定常位置に復帰させる操作を要しない。
【００２２】
さらに、上記構成にあって、可動部材を付勢手段に抗して退避位置に保持可能とする係止手段を備えた場合には（請求項５）、作業者は、係止手段によって可動部材を退避位置に留めておくことによって、可動部材を何度も押し下げることなく、前扉と上皿部材とを繰返しすれ違わせることができる。
【００２３】
また、上皿パネルに凹溝部が形成された取付部材が係止され、上皿部材の開放状態において、該取付部材が係脱可能となるパチンコ機にあっても（請求項６）、上皿部材の開放時に取付部材を上皿パネルから取り外すことによって、前扉を上皿部材の後方に回動させて前扉のみを閉止することができる。特に、本構成では、凹溝部を移動可能とする構成よりも構造を簡略化でき、また、取付部材を一旦取り外せば、前扉と上皿パネルを相互に衝突させることなく自由に回動できるという利点がある。
【００２４】
さらに、上記構成にあって、上皿部材の閉止状態で、取付部材の係止状態の異常を検知する取付検知手段と、該取付検知手段の異常検知時に、当該異常の発生を報知する異常報知手段とを備える場合には（請求項７）、
作業者は、上皿部材を閉じる際に、異常報知手段からの報知の有無によって、取付部材の係止状態の異常や取付部材の付け忘れがないか否かを確認することができ、上皿部材を適切に閉止することができる。
【発明を実施するための最良の形態】
【００２５】
本発明の実施形態を、以下の実施例に従って説明する。
【００２６】
<第一実施例>
本実施例のパチンコ機１は、図１，図２に示すように、遊技島設備（図示省略）に固定される外枠２と、該外枠２の前面開口部を覆う遊技機本体３とからなる。
【００２７】
遊技機本体３は、前記外枠２に開閉可能に軸支された前枠体４と、該前枠体４に装着された各種遊技部材とにより構成されている。前枠体４の略中央には矩形の開口部８が形成されており、該開口部８を塞ぐように遊技盤５が装着される。また、開口部８の下方部位には部材取付部１９が形成されており、その前面には、発射された遊技球を遊技盤面に案内する発射レール１２や各種の効果音を発するスピーカ１４が取り付けられる。また、遊技機本体３の下部には、図２に示すように、上皿部材７の下方に位置させて下皿部材９が前枠体４と一体に形成されており、該下皿部材９の右側方に発射ハンドル１０が配設される。さらに、発射ハンドル１０の背面側には、後述する整流器２３から一個ずつ供給される遊技球を遊技盤面に打ち出す発射槌１１（図１参照）を備えた球発射装置（図示省略）が配設されている。ここで、該発射槌１１は発射レール１２の始端の発射位置に臨ませて設けられており、該発射位置に供給された遊技球を打圧し得るようになっている。また、部材取付部１９の上部両側には、後述する可動部材３０を支持する支持部材１６ａ，１６ｂが配設される（図１，４，５参照）。この支持部材１６ａ，１６ｂは、本発明の要部に係るため詳細は後述する。
【００２８】
前枠体４の左側縁には、図１に示すように、遊技盤面を視認可能な状態で保護する前扉６がヒンジ部材（図示省略）を介して片開き可能に枢支される。この前扉６は、金属製のガラス枠４１に矩形のガラス板４０を嵌め込んでなるものであり、ガラス板４０によって遊技盤５を前面から覆う閉止状態（図２参照）と、前方回動して遊技盤５を開放する開放状態（図１参照）とに変換可能となっている。ここで、前扉６は、通常状態では前枠体４に設けられた施錠機構１５によって閉止状態で係止されており、保守点検等にのみ作業者が開放するようになっている。また、図３に示すように、前扉６のガラス枠４１の下縁には、後方へ突出して、後述する上皿部材７の凹溝部３１と係合する遮蔽板部４２が略全幅に亘って形成される。なお、本実施例の遮蔽板部４２の構造は、従来構成と同様であるため詳細な説明は省略する。
【００２９】
また、前扉６の直下位置には、発射用の遊技球を貯留するための上皿部材７がヒンジ部材（図示省略）を介して片開き可能に枢支される。この上皿部材７は、横長矩形状の金属板からなる上皿パネル２０の前面に、遊技球を貯留可能な樹脂製の貯留皿２１を配設してなるものであり、その閉止状態で、前枠体４の部材取付部１９を前方から覆う閉止状態と、前方回動して部材取付部１９を開放する開放状態とに変換可能となっている。
【００３０】
上皿パネル２０の右端部には、図１に示すように、前枠体４と係合する上皿係止突片２４が配設される。上皿部材７は、通常状態では、この上皿係止突片２４によって閉止状態で係止されており、保守点検等にのみ作業者が開放するようになっている。前枠体４と上皿部材７の係合は、前扉６の開放状態で、上皿係止突片２４の上部を押し下げることによって解除できる。
【００３１】
上皿部材７の左側部には、賞球や貸球等の遊技球を貯留皿２１に排出するための球放出口１３が形成される。また、貯留皿２１の右奥には、貯留した遊技球を一列状に整列させる案内路２７が形成される。貯留皿２１に貯留される遊技球は、この案内路２７で整列後、図示しない球出口から上皿パネル２０の裏面側へ流出する。上皿パネル２０の裏面右側には、案内路２７から導出される遊技球を発射位置に供給する整流器２３が配設される。貯留皿２１から流出した遊技球は、この整流器２３に流入し、発射槌１１の動きに合わせて一球ずつ発射位置に送出されることとなる。
【００３２】
以下に、本発明の要部に係る構成を詳細に説明する。
本実施例の上皿部材７では、凹溝部３１は、上皿パネル２０に回動可能に軸支された可動部材３０によって形成される。
【００３３】
可動部材３０は、図６に示すように、上皿パネル２０と略同幅の杆状の凹溝部３１と、該凹溝部３１の下部両端に設けられた回動軸３２，３２とで構成される。凹溝部３１は、横長金属板片を成形加工してなるものであって、図６，７に示すように、前方に開口する断面略コ字状をなす。回動軸３２は、凹溝部３１の下部から延成された金属突部と、該金属突部に保持された円柱状の樹脂材とにより構成される。
【００３４】
また、図６に示すように、上皿パネル２０の背面両側部には軸受部２５，２５が螺着されており、可動部材３０の回動軸３２は、この軸受部２５を介して、上皿パネル２０の幅方向に軸支される。また、上皿パネル２０の背面中央部には、可動部材３０の回動を規制する断面逆Ｌ字状のストッパ片２６が固定される。
【００３５】
上皿パネル２０に軸支された可動部材３０は、図７に示すように、凹溝部３１を回動軸３２から起立させる定常位置αと、凹溝部３１を回動軸３２の後方に傾倒させる退避位置βとに変位可能となる。可動部材３０の定常位置αでは、凹溝部３１は、上皿パネル２０の上縁より上方に突出し、開口を前方に向ける。一方、退避位置βでは、凹溝部３１は上皿パネル２０の上縁よりも下方に位置し、その開口を上方に向ける。なお、可動部材３０は、上皿パネル２０によって定常位置αから前方への回動を規制され、ストッパ片２６によって退避位置βより下方への回動を規制される。
【００３６】
上述したように、上皿部材７の上方には前扉６が片開き可能に軸支されており、前扉６のガラス枠４１の下縁に、後方へ突出する遮蔽板部４２が略全幅に亘って形成される（図３参照）。ここで、図７（ロ）に示すように、前扉６の下縁は、上皿部材７の上縁より僅かに高い位置を回動するようになっており、可動部材３０が定常位置αにある状態では、遮蔽板部４２を凹溝部３１内に前方から差込み可能となる。一方で、可動部材３０が退避位置βにある状態では、凹溝部３１は上皿パネル２０の上縁よりも下方に位置するため、図７（ハ）に示すように、前扉６と上皿部材７を相対回動しても、遮蔽板部４２と凹溝部３１とは当接せず、図８に示すように、前扉６と上皿部材７とをすれ違わせることが可能となる。
【００３７】
また、上述したように、部材取付部１９前面の上部両側には可動部材３０を支持する支持部材１６ａ，１６ｂが配設される（図１参照）。この支持部材１６ａ，１６ｂの前面には、図４，５に示すように、略全幅に亘る収納支持部３５が形成される。この収納支持部３５は、図７（イ）に示すように、上皿部材７の閉止時に、定常位置αにある可動部材３０に後方から当接するようになっており、これにより凹溝部３１の後方への傾倒を規制して、可動部材３０を定常位置αに保持する働きをする。また、収納支持部３５の直下には前方に突出する衝突部３６が形成される。この衝突部３６は、可動部材３０を退避位置βとしたままで上皿部材７を閉じようとした場合に、後方に傾倒した凹溝部３１と衝突するようになっており、上皿部材７が不適切に閉止されるのを阻止する働きをする。
【００３８】
また、左側の支持部材１６ａの前面上部には、前扉開閉スイッチ１７が検知部を前方に突出するようにして配設される。この前扉開閉スイッチ１７は、前扉６の閉止状態で遮蔽板部４２によって検知部を押圧されて検知信号を出力する。一方、右側の支持部材１６ｂの、収納支持部３５の前面には、可動部材検出スイッチ１８が検知部を前方に突出するようにして配設される。この可動部材検出スイッチ１８は、上皿部材７の閉止状態で、収納支持部３５に当接する可動部材３０によって検知部を押圧されて検知信号を出力する。なお、これらのスイッチ１７，１８は、遊技を制御する遊技制御基板へ検知信号を出力するようになっており、遊技制御基板が、これらの検知信号によって、前扉６と上皿部材７の閉止状態とを判断するようになっている。ここで、本実施例では、遊技制御基板は、いずれかのスイッチ１７，１８から検知信号が出力されていない場合は、メンテナンス中また異常発生中とみなし、発射装置を停止させると共に入賞口への入賞を無効とし、遊技を強制的に停止させる。ただし、前扉開閉スイッチ１７が検知信号を出力している場合は、遊技球の試射を可能とするために、可動部材検出スイッチ１８が検知信号を出力していなくても、発射装置は作動可能とする。
【００３９】
次に、本実施例の前扉６と上皿部材７の開閉態様について説明する。
前扉６と上皿部材７を閉止した状態にあっては、図７（イ）に示すように、可動部材３０は定常位置αに位置し、その凹溝部３１には遮蔽板部４２が差し込まれ、凹溝部３１と遮蔽板部４２が相互に係合する。このため、従来構成同様に、前扉６と上皿部材７との隙間は入り組んだものとなり、当該隙間への不正器具の侵入が困難となる。なお、かかる状態では、前記収納支持部３５が可動部材３０に後方から当接することによって、可動部材３０は定常位置αに保持される。
【００４０】
前扉６と上皿部材７の閉止状態では、前扉６の施錠を解除すれば、上皿部材７を閉じたまま前扉６のみを開放できる。一方、上皿部材７の凹溝部３１には、前扉６の遮蔽板部４２が前方から差し込んでいるため、上皿部材７を開放する場合は、先に前扉６を開放しておかなくてはならない。従って、上皿部材７を開放した時には、図８（イ）に示すように、前扉６は上皿部材７より前方に回動した状態にある。この状態では、図７（ロ）に示すように、可動部材３０が定常位置αにある限りは、遮蔽板部４２が凹溝部３１に衝突するため、前扉６を上皿部材７の後方に回動させることはできない。ただし、可動部材３０は支持部材１６ａ，１６ｂと離間して退避位置βに変位可能であるため、作業者が手で退避位置βへ回動させれば、図７（ハ），図８（ロ）に示すように、遮蔽板部４２を凹溝部３１に衝突させずに前扉６を上皿部材７の後方に回動させることができる。従って、本実施例のパチンコ機１では、図９に示すように、上皿部材７を開放したまま前扉６のみを閉止できる。
【００４１】
なお、上述のように、上皿部材７を開放したまま前扉６を閉止可能であるが、前扉６と上皿部材７とを閉止する場合には上皿部材７を先に閉止する。前扉６を先に閉止すると、遮蔽板部４２と凹溝部３１を係合させることができないためである。
【００４２】
また、上皿部材７を閉止する際には、凹溝部３１が遮蔽板部４２と係合可能となるように、可動部材３０を定常位置αに保持した状態で行う。なお、本実施例では、上述のように、可動部材３０が退避位置βにある状態で上皿部材７を閉止しようとしても、可動部材３０が支持部材１６ａ，１６ｂの衝突部３６にぶつかって、上皿部材７を閉止できないようになっている。
【００４３】
このように、本実施例のパチンコ機１では、上皿部材７の開放状態において、可動部材３０を退避位置βに変位させることによって、前扉６を上皿部材７の後方に回動でき、図９に示すように、前扉６のみを閉止することができる。これにより、上皿部材７を開放して発射レールの角度調整や発射装置の修理などの作業を行う際に、遊技盤５上の遊技部品を保護することができ、また、かかる作業中に開放状態の前扉６が、保守作業や隣席の遊技の邪魔となることもなくなる。さらには、図９の状態で、作業者が発射位置に遊技球を補充すれば、上皿部材７を開放したまま試射を行うこともできる。
【００４４】
また、本実施例では、前扉６と上皿部材７の閉止状態では、可動部材３０を定常位置αに位置させることにより、凹溝部３１と遮蔽板部４２とを係合させることができ、従来構成同様に、前扉６と上皿部材７の隙間を介した不正行為を防止することができる。特に、前扉６と上皿部材７の閉止状態では、支持部材１６ａ，１６ｂによって可動部材３０を定常位置αに支持しているため、不正器具等を押し入れたとしても凹溝部３１は傾倒せず、遮蔽板部４２と凹溝部３１の係合が確実に維持されるようになっている。
【００４５】
また、本実施例では、支持部材１６ａ，１６ｂの前面下部に、前方に突出する衝突部３６を設けることによって、可動部材３０が退避位置βにある状態では上皿部材７を閉止できないようにしている。このため、前扉６と上皿部材７の閉止状態では、可動部材３０は必ず定常位置αに保持され、遮蔽板部４２と凹溝部３１は確実に係合することとなる。
【００４６】
なお、本実施例は、可動部材３０を手動で退避位置に変位させるものであるが、前扉を上皿部材の後方へ回動する際に、遮蔽板部を凹溝部に衝突させることによって、可動部材が自然に定常位置から退避位置に回動する構成としてもよい。具体的には、凹溝部の内側に円滑な湾曲面を形成し、該湾曲面に遮蔽板部が当接した際に可動部材を退避位置に回動させる案内作用が生じるようにすることが提案される。
【００４７】
また、可動部材３０は、前扉６と上皿部材７をすれ違わせる時にのみ退避位置にあればよいから、バネ等の付勢手段によって可動部材３０を定常位置に付勢しておくことも提案される。また、上記実施例では、凹溝部３１が回動軸３２の後方に傾倒した位置を可動部材３０の退避位置βとしているが、回動軸の前方に傾倒した位置を退避位置としてもよい。
【００４８】
＜第二実施例＞
次に、上皿パネルに対して可動部材を昇降可能に取り付けた第二実施例について説明する。なお、本実施例は、上皿部材以外の構成は上記第一実施例と同じであるため、それらの説明は省略する。
【００４９】
本実施例の可動部材５０は、横長金属板片を成形加工してなるものであり、図１０，１１に示すように、この可動部材５０の上部には、第一実施例と略同形状をなし、前方に開口する断面略コ字状の凹溝部５１が形成される。この凹溝部５１の下方には、上皿パネル２０ａの背面に対して摺動する平板状の摺動部５２が形成される。この摺動部５２の両端部及び中央部には、逆Ｌ字形をなす摺動溝５４が二箇所ずつ形成される。また、摺動部５２の下端には、後述する板バネ体５６と当接する当接部５３が後方に延成される。
【００５０】
可動部材５０は、上皿パネル２０ａの背面側に摺動部５２を接するように取り付けられ、一対の保持板５５ａ，５５ｂによって保持される。この保持板５５ａ，５５ｂは、図１０〜１２に示すように、摺動部５２の摺動溝５４と上皿パネル２０ａとを貫通し、摺動部５２と上皿パネル２０ａを挟み込むように螺着されるものであり、これにより可動部材５０は摺動溝５４の範囲内で昇降可能に保持される。
【００５１】
また、上皿パネル２０ａ背面の、保持板５５ａ装着部位の下方部位には、可動部材５０を上方に付勢する板バネ体５６が夫々取り付けられる。この板バネ体５６は、可動部材５０の下部に形成された当接部５３に夫々圧接し、その弾性力によって可動部材５０を上方へ付勢する。
【００５２】
本実施例では、図１２（イ）に示すように、可動部材５０を可能な限り上昇させた位置を可動部材５０の定常位置γとする。この定常位置γでは、凹溝部５１が上皿パネル２０ａの上方に突出し、遮蔽板部４２を凹溝部５１に差込み可能となる。一方、図１２（ロ）に示すように、可動部材５０を可能な限り下降させた位置を可動部材５０の退避位置δとする。かかる退避位置δでは、凹溝部５１が遮蔽板部４２と当接しない高さに位置することとなる。なお、可動部材５０は、板バネ体５６により上方に付勢されるため、通常は定常位置γに保持される。すなわち、本実施例では、可動部材５０を定常位置γに付勢する付勢手段は板バネ体５６により構成される。従って、本実施例では、作業者が、板バネ体５６の弾性力に抗して可動部材５０を押し下げることによって、可動部材５０を退避位置δに変位させる。ここで、本実施例では、摺動溝５４は逆Ｌ字状に形成されており（図１１参照）、可動部材５０を退避位置δに押し下げた状態で、可動部材５０を右方向にスライドすると、可動部材５０と保持板５５ａ，５５ｂが係合して、可動部材５０が退避位置δに係止されるようになっている。すなわち、本実施例では、可動部材５０を付勢手段に抗して保持可能とする係止手段は、この逆Ｌ字状の摺動溝５４と保持板５５ａ，５５ｂによって実現される。
【００５３】
このように、本実施例にあっても、可動部材５０を定常位置γに位置させることにより、凹溝部５１と遮蔽板部４２を係合させて、前扉６と上皿部材７の隙間を介した不正行為を防止することができ、また、可動部材５０を押し下げて退避位置δに変位させることにより、図１２（ハ）に示すように、遮蔽板部４２を凹溝部５１に衝突させることなく、前扉６を上皿部材７ａの後方に回動し、前扉６のみを閉止することが可能となる。
【００５４】
特に、本実施例では、可動部材５０が付勢手段によって定常位置γに付勢されるため、可動部材５０を退避位置δに変位させた後で、可動部材５０を退避位置δに復帰させる操作が不要であるといった利点がある。一方で、可動部材５０を退避位置δでスライドさせることにより、可動部材５０を退避位置δに係止することもできる。このため、必要な時には、可動部材５０を退避位置δに係止するようにすれば、可動部材５０を一度押し下げるだけで、前扉６と上皿部材７を繰り返しすれ違わせることができる。また、本実施例では、図１２（イ）に示すように、遮蔽板部４２と凹溝部５１の係合状態では、可動部材５０は遮蔽板部４２によって下降不能に規制されるため、上皿部材７ａを定常位置γに支持する支持手段が必要ないといった利点もある。
【００５５】
＜第三実施例＞
次に、上皿パネルに対して係脱可能な取付部材に凹溝部を形成した第三実施例について説明する。なお、本実施例は、上皿部材７以外の構成は上記第一実施例と同じであるため、それらの説明は省略する。
【００５６】
本実施例の取付部材６０は、図１３，１４に示すように、上皿パネル２０ｂと略同幅の金属板片を成形加工してなるものである。この取付部材６０は、第一実施例と略同形状の凹溝部６１と、該凹溝部６１の両側部及び中央部から下方に延成される断面Ｌ字状の差込突片６２とで構成される。
【００５７】
一方、上皿パネル２０ｂには、その上端に、取付部材６０を係止するための載置部６３が略全幅に亘って後方に延成される。この載置部６３の両端部と中央部には、横長溝状の係合孔６４が形成されており、取付部材６０は、その差込突片６２を各係合孔６４に係入することによって、上皿パネル２０ｂの上端に係止される。
【００５８】
取付部材６０の係脱手順を説明する。まず、図１３，１５（イ）は、取付部材６０を上皿パネル２０ｂに係止した状態を示す。かかる状態では、凹溝部６１は上皿パネル２０ｂの載置部６３上に保持されて前方に開口し、凹溝部６１に遮蔽板部４２を差込み可能となる。ここで、凹溝部６１に遮蔽板部４２を差し込んだ状態では、取付部材６０は遮蔽板部４２によって前方から支持されて、上皿パネル２０ｃから取外し不能となる。従って、本実施例においても、前扉６と上皿部材７ｃとを閉止した状態で、凹溝部６１と遮蔽板部４２とを係合させておけば、前扉６と上皿部材７ｃの隙間を介した不正行為を確実に防ぐことができる。
【００５９】
一方、取付部材６０を上皿パネル２０ｂから取り外す場合は、図１５（ロ），図１６（ハ）に示すように、取付部材６０を後転させるように移動させて、差込突片６２を係合孔６４から離脱させる。これにより、凹溝部６１を上皿パネル２０ｂから分離することができ、遮蔽板部４２を凹溝部６１と衝突させることなく、前扉６を上皿部材７の後方へ回動することができる。なお、取付部材６０を再度取り付ける場合は、取り外す手順と逆の手順を行い、差込突片６２を係合孔６４に係入すればよい。
【００６０】
このように、本実施例の上皿部材７ｂによっても、上皿部材７ｂの開放状態で、取付部材６０を取り外すことによって、遮蔽板部４２を凹溝部６１に衝突させることなく、前扉６を上皿部材７ｂの後方に回動し、前扉６のみを閉止することができる。特に、本実施例の取付部材６０は、第一実施例や第二実施例よりも保持機構が簡単であるため、低廉に実現できるという利点がある。また、取付部材６０を一旦取り外せば、前扉６と上皿部材７ｂとを相互に衝突させることなく自由に回動できるという利点もある。
【００６１】
また、本実施例では、図１４に示すように、載置部６３の、係合孔６４形成部位の底面側に板状磁石６５が固着されており、図１６（ニ）に示すように、取り外した取付部材６０の差込突片６２を該磁石６５に付着させることによって、取付部材６０を保持可能としている。このため、本実施例では、取り外した取付部材６０を載置しておく手間やスペースを要せず、作業を効率よく行えるといった利点がある。
【００６２】
また、本実施例では、遊技制御基板は、前扉開閉スイッチ１７から検知信号が入力されており、且つ、可動部材検出スイッチ１８から検出信号が入力されていない場合には、取付部材６０の係止状態が異常であると判定し、スピーカ１４に警告音を出力させて、かかる異常を作業者に報知するようになっている。これにより、本実施例では、取付部材６０を取り外した状態でも上皿部材７ｂを閉止可能であるが、取付部材６０の付け忘れを確実に防止できると共に、作業者は、上皿部材７ｂを閉止した状態で取付部材６０が適切に取り付けられているか否かを、報知の有無によって確認できる。
【００６３】
なお、本実施例では、取付部材６０を、上皿パネル２０ｂの載置部６３に形成した係合孔６４に係入するようにしているが、取付部材６０と上皿パネル２０ｂとの係脱機構は様々に変更可能である。また、本実施例では、本発明に係る取付検知手段を、可動部材検出スイッチ１８及び遊技制御基板によって構成し、また、係止状態の異常を報知する異常報知手段をスピーカ１４によって構成しているが、異常報知手段は液晶表示器やランプ等によって構成することもできる。
【００６４】
＜第四実施例＞
次に、第三実施例から、取付部材の係止機構を変更した第四実施例について、図１７〜２０を参照して説明する。なお、本実施例は、上皿部材以外の構成は上記第三実施例と同じであるため、それらの説明は省略する。
【００６５】
本実施例の上皿パネル２０ｃと取付部材７０は、上記第三実施例と略同形をなす。すなわち、取付部材７０は、断面略コ字状の凹溝部７１と、該凹溝部７１の両側部及び中央部から下方に延成される断面Ｌ字状の差込突片７２とで構成される。そして、その差込突片７２を、上皿パネル２０ｃの載置部７３に形成された係合孔７４に係入するようになっている。
【００６６】
ここで、上記第三実施例（図１５参照）と比較して、本実施例では、図１９に示すように、凹溝部７１の前後幅が狭くなっており、また、差込突片７２の上下幅が広くなっている。さらに、上皿パネル２０ｃの係合孔７４は、その前後幅が狭くなっている。これにより、本実施例では、以下のような取付部材７０の係脱態様が実現される。
【００６７】
図１９，２０に、取付部材６０の係脱態様を示す。１９（イ）は、取付部材７０を上皿部材７ｃに係止した状態を示す。かかる状態では、凹溝部７１が上皿パネル２０ｃの載置部７３上に保持されて前方に開口し、該凹溝部７１に遮蔽板部４２を差込み可能となる。そして、この取付部材７０を上皿パネル２０ｃから取り外す場合は、取付部材７０を一旦上方に引き上げて（図１９（ロ））、その状態から取付部材７０を後方に傾倒させる（図２０（ハ），（ニ））。さらに、この状態から取付部材７０を引き上げることによって、差込突片７２を係合孔７４から離脱させ、凹溝部７１を上皿パネル２０ｃから分離することができる。取付部材７０を再度取り付ける場合は、取り外す手順と逆の手順を行い、差込突片７２を係合孔７４に係入すればよい。
【００６８】
このように、本実施例の上皿部材７ｃによっても、上皿部材７ｃの開放状態で、取付部材７０を取り外すことによって、前扉６を上皿部材７ｂの後方に回動し、前扉６のみを閉止することができる。なお、本実施例では、図２０（ニ）に示すように、取付部材７０を後方に傾倒させた状態で、上皿パネル２０ｃの載置部７３に保持可能となっており、また、かかる状態で、凹溝部７１は遮蔽板部４２と当接し得ない高さとなる。従って、本実施例では、取付部材７０をわざわざ取り外すことなく、図２０（ニ）のように後方傾倒させるだけで、前扉６を上皿部材７ｃの後方に回動できるといった利点がある。
【００６９】
尚、本発明のパチンコ機は、上述した実施の形態に限定されるものではなく、本発明の要旨を逸脱しない範囲内において種々変更を加え得ることは勿論である。
【００７０】
また、上記実施例では、上皿部材の凹溝部を、可動部材や取付部材に形成することによって上皿パネルに対して移動可能又は係脱可能とした構成であるが、これ以外に、凹溝部を、従来通り上皿パネルに一定形成すると共に、前扉の遮蔽板部を、ガラス枠に対して移動可能又は係脱可能とする構成も提案される。具体的には、前扉のガラス枠に、遮蔽板部が形成された移動部材が取り付けられており、該移動部材は、遮蔽板部を凹溝部に差込可能な高さとする定常位置と、遮蔽板部を凹溝部と当接しない高さとする退避位置とに変位可能となっている構成が提案される。なお、かかる移動部材をガラス枠に対して回動可能とする場合には、遮蔽板部が回動軸から垂下する位置を定常位置とし、遮蔽板部が回動軸の後方に変位した位置を退避位置とすることが望ましい。移動部材を前扉の前方に傾動可能とすると、前扉の閉止状態で、遊技者が移動部材を回動操作可能となり、不都合が生じるためである。
【図面の簡単な説明】
【００７１】
【図１】前扉６と上皿部材７の開放状態を示す、第一実施例のパチンコ機１の斜視図である。
【図２】前扉６と上皿部材７の閉止状態を示す、パチンコ機１の拡大斜視図である。
【図３】前扉６下部の拡大斜視図である。
【図４】左側の支持部材１６ａの斜視図である。
【図５】右側の支持部材１６ｂの斜視図である。
【図６】第一実施例の上皿部材７の分解斜視図である。
【図７】可動部材３０の回動態様を示す説明図である。
【図８】パチンコ機１の平面図であり、（イ）は前扉６が上皿部材７よりも前方に回動した状態を、（ロ）は前扉６が上皿部材７より後方に回動した状態を示す。
【図９】上皿部材７のみを開放した状態を示す、第一実施例のパチンコ機１の斜視図である。
【図１０】第二実施例の上皿部材７ａの斜視図である。
【図１１】上皿部材７ａの分解斜視図である。
【図１２】可動部材５０の昇降態様を示す説明図である。
【図１３】第三実施例の上皿部材７ｂの斜視図である。
【図１４】上皿部材７ｂの分解斜視図である。
【図１５】取付部材６０の係脱態様を示す説明図である。
【図１６】取付部材６０の係脱態様を示す説明図である。
【図１７】第四実施例の上皿部材７ｃの斜視図である。
【図１８】上皿部材７ｃの分解斜視図である。
【図１９】取付部材７０の係脱態様を示す説明図である。
【図２０】取付部材７０の係脱態様を示す説明図である。
【符号の説明】
【００７２】
１  パチンコ機
４  前枠体
５  遊技盤
６  前扉
７，７ａ，７ｂ，７ｃ  上皿部材
８  開口部
１４  スピーカ（異常報知手段）
１６ａ，１６ｂ  支持部材
１８  可動部材検出スイッチ
１９  部材取付部
２０，２０ａ，２０ｂ，２０ｃ  上皿パネル
２１  貯留皿
３０，５０  可動部材
３１，５１，６１，７１  凹溝部
４２  遮蔽板部
５４  摺動溝
５６  板バネ体（付勢手段）
６０，７１  取付部材
α，γ  定常位置
β，δ  退避位置  
【図１】
2007037811.tif 000003
【図２】
2007037811.tif 000004
【図３】
2007037811.tif 000005
【図４】
2007037811.tif 000006
【図５】
2007037811.tif 000007
【図６】
2007037811.tif 000008
【図７】
2007037811.tif 000009
【図８】
2007037811.tif 000010
【図９】
2007037811.tif 000011
【図１０】
2007037811.tif 000012
【図１１】
2007037811.tif 000013
【図１２】
2007037811.tif 000014
【図１３】
2007037811.tif 000015
【図１４】
2007037811.tif 000016
【図１５】
2007037811.tif 000017
【図１６】
2007037811.tif 000018
【図１７】
2007037811.tif 000019
【図１８】
2007037811.tif 000020
【図１９】
2007037811.tif 000021
【図２０】
2007037811.tif 000022